(57)【要約】【課題】本考案は、電気機器の給電制御を行う電話による遠隔作動装置を提供する。【解決手段】本考案は、電気機器と接続するためのソケットと、テレホンコードと接続し電話送信による指令信号を受けるための第一のモジュラジャックとがその内部から外部に露出するように設置されているハウジングと、電源コンセントに接続されて電流を導入し、且つ前記ハウジングから外へ延出している電源入力手段と、作動されると前記電源入力手段と前記ソケットとを接続したり遮断したりし、前記電気機器を駆動できるように前記電源入力手段と前記ソケットとの間に設置されている駆動モジュールと、前記テレホンコードから受けた指令信号により、前記駆動モジュールを作動させることができるように、前記第一のモジュラジャックと前記駆動モジュールとの間に設置されている伝動モジュールとを備える。【選択図】図１ 
0003117347.tif 000002
【実用新案登録請求の範囲】
【請求項１】
電気機器と接続するためのソケットと、テレホンコードと接続し該テレホンコードを介して電話送信による指令信号を受けるための第一のモジュラジャックとがその内部から外部に露出するように設置されているハウジングと、
電源コンセントに接続されて電流を導入することができるように前記ハウジングから外へ延出している電源入力手段と、
前記ハウジング内において、作動されると前記電源入力手段と前記ソケットとを接続したり遮断したりし、前記電気機器を駆動することができるように、前記電源入力手段と前記ソケットとの間に設置されている駆動モジュールと、
前記第一のモジュラジャックを介して前記テレホンコードから受けた指令信号により、前記駆動モジュールを作動させることができるように、前記第一のモジュラジャックと前記駆動モジュールとの間に設置されている伝動モジュールとを備えており、
それにより、前記テレホンコードを介する電話送信の指令信号で前記電気機器を駆動することができることを特徴とする、電話による遠隔作動装置。
【請求項２】
前記指令信号を前記伝動モジュールの前記駆動モジュールを作動させるように処理することができる信号に解読してから前記伝動モジュールに送入するように、前記第一のモジュラジャックと前記伝動モジュールとの間に設置されているデコーダーが更に設置されていることを特徴とする請求項１に記載の電話による遠隔作動装置。
【請求項３】
他のテレホンコードと接続するために前記ハウジングの表面に露出し、且つ前記ハウジング内において前記伝動モジュールと接続するように、第二のモジュラジャックが設置されており、
それにより、前記テレホンコードで遠端の電話からの指令信号を受けて前記駆動モジュールを作動させたり、または前記他のテレホンコードでバイパスして通常の送信を近端の電話に送ったりすることができることを特徴とする請求項１に記載の電話による遠隔作動装置。
【請求項４】
導入電流が過大である場合、自動的に作動して電流の導入を遮断することができるように、前記電源入力手段それ自体及び電源入力手段と前記駆動モジュールとの間のいずれかに自動遮断手段が設置されていると共に、前記ハウジング表面上に、通／断指示灯が前記自動遮断手段と接続している上、前記自動遮断手段の通／断状態を表示すことができるように配置されていることを特徴とする請求項１に記載の電話による遠隔作動装置。
【請求項５】
前記ハウジング上に、前記駆動モジュールと接続している上、前記駆動モジュールが作動しているか否かを表示することができるように配置されている作動指示灯が設置してあることを特徴とする請求項１に記載の電話による遠隔作動装置。
【請求項６】
前記駆動モジュールには、前記伝動モジュールに作動されて前記電源入力手段と前記ソケットとを接続したり遮断したりすることができるようにリレーが設置されていることを特徴とする請求項１に記載の電話による遠隔作動装置。
【請求項７】
前記伝動モジュールは、所定の時間以上の電話着信信号を連続的に受けてから始めて前記指令信号を処理できるように配置されていることを特徴とする請求項１に記載の電話による遠隔作動装置。
【考案の詳細な説明】
【技術分野】
【０００１】
本考案は、電話による遠隔作動装置に関し、特に、電話の送信により電気機器の給電制御を行う遠隔作動装置に関する。
【背景技術】
【０００２】
従来、電話信号での遠隔制御は、外線と連接しているテレホンコードで遠端の電話からの信号をコントローラに受信させ、そして室内配線により該コントローラの出力を分岐させてから、壁などに配置してある複数の電源コンセントを介して目的の電気機器への給電を制御することで行う。
【０００３】
該制御方式では、配線工事が煩瑣であるので工費が高いばかりでなく、配線も固定になり、電気機器の置く箇所が自由に変更できないので、実際の使用に不便である。
【０００４】
一方、赤外線接続または無線接続等の無線技術で信号の伝送を行う場合、配線工事がなくなる上、使用箇所の制限もある程度開放されうるが、信号伝送用の高価な無線送受信機が必要となり、コストの問題がやはり解消され得ない。
【考案の開示】
【考案が解決しようとする課題】
【０００５】
上記に鑑みて、本考案は、室内配線も無線送受信機も必要がなく、それ自体で、電話信号による遠隔制御を行なうことができる遠隔作動装置を提供しようとすることを目的とする。
【課題を解決するための手段】
【０００６】
上記の目的を達成するために、本考案は、電気機器と接続するためのソケットと、テレホンコードと接続し該テレホンコードを介して電話送信による指令信号を受けるための第一のモジュラジャックとがその内部から外部に露出するように設置されているハウジングと、電源コンセントに接続されて電流を導入することができるように前記ハウジングから外へ延出している電源入力手段と、前記ハウジング内において、作動されると前記電源入力手段と前記ソケットとを接続したり遮断したりし、前記電気機器を駆動することができるように、前記電源入力手段と前記ソケットとの間に設置されている駆動モジュールと、前記第一のモジュラジャックを介して前記テレホンコードから受けた指令信号により、前記駆動モジュールを作動させることができるように、前記第一のモジュラジャックと前記駆動モジュールとの間に設置されている伝動モジュールとを備えており、それにより、前記テレホンコードを介する電話送信の指令信号で前記電気機器を駆動することができることを特徴とする、電話による遠隔作動装置を提供する。
【０００７】
前記電話による遠隔作動装置の実施形態としては、前記指令信号を前記伝動モジュールの前記駆動モジュールを作動させるように処理することができる信号に解読してから前記伝動モジュールに送入するように、前記第一のモジュラジャックと前記伝動モジュールとの間に設置されているデコーダーが更に設置されているものが好ましい。
【０００８】
そして、他のテレホンコードと接続するために前記ハウジングの表面に露出し、且つ前記ハウジング内において前記伝動モジュールと接続するように、第二のモジュラジャックが設置されており、それにより、前記テレホンコードで遠端の電話からの指令信号を受けて前記駆動モジュールを作動させたり、または前記他のテレホンコードでバイパスして通常の送信を近端の電話に送ったりすることができるものが好ましい。
【０００９】
そしてまた、導入電流が過大である場合、自動的に作動して電流の導入を遮断することができるように、前記電源入力手段それ自体及び電源入力手段と前記駆動モジュールとの間のいずれかに自動遮断手段が設置されていると共に、前記ハウジング上に、前記自動遮断手段と接続している上、前記自動遮断手段の通／断状態を表示すことができるように配置されている通／断指示灯が設置してあるものが好ましい。
【００１０】
それに、前記ハウジング上に、前記駆動モジュールと接続している上、前記駆動モジュールが作動しているか否かを表示することができるように配置されている作動指示灯が設置してあるものも、前記駆動モジュールには、前記伝動モジュールに作動されて前記電源入力手段と前記ソケットとを接続したり遮断したりすることができるようにリレーが設置されているものもよりが好ましい。
【００１１】
なお、前記伝動モジュールは、所定の時間以上の電話着信信号を連続的に受けてから始めて前記指令信号を処理できるように配置されているものもより好ましい。
【考案の効果】
【００１２】
上記構成による本考案のいずれかの遠隔作動装置は、室内配線の変更も無線送受信機の装置も必要なく、それ自体で、電話信号による遠隔制御を行なうことができるので、安価であるばかりでなく、使用にもとても便利である。
【考案を実施するための最良の形態】
【００１３】
以下、図面を参照しながら，本考案に係る電話による遠隔作動装置の実施形態を説明する。まず、本考案の実施形態としての電話による遠隔作動装置は、図１ないし図３に示すように、電気機器２３と接続するためのソケット６と、テレホンコード（図示せず）と接続し該テレホンコードを介して電話送信による指令信号を受けるための第一のモジュラジャック５１とがその内部から外部に露出するように設置されている中空長方体のハウジング３と、電源コンセント（図示せず）に接続されて電流（交流電力Ｖac、図２参照）を導入することができるようにハウジング３から外へ延出している電源入力手段４と、ハウジング３内に設置されている制御電路７（図１及び図２）とを備えており、且つ該制御電路７は、少なくとも、作動されると電源入力手段４とソケット６とを接続したり遮断したりし、電気機器２３を駆動することができるように、電源入力手段４とソケット６との間に設置されている駆動モジュール７１と、第一のモジュラジャック５１を介してテレホンコードから受けた指令信号により、駆動モジュール７１を作動させることができるように、第一のモジュラジャック５１と駆動モジュール７１との間に設置されている伝動モジュール７３とからなっている。伝動モジュール７３は、更に、所定の時間以上の電話着信信号を連続的に受けてから始めて指令信号を処理できるように、また、駆動モジュール７１には、更に、リレー７１１が伝動モジュール７３に作動されて電源入力手段４とソケット６とを接続したり遮断したりすることができるように制御電路７内に設置されている。そして、前記基本構成を基とし、電気機器２３の需要数に応じるように、ソケット６の数、ないし、それに伴って駆動モジュール７１の数をも増設することができる。
【００１４】
この実施形態においては、電源入力手段４は、プラグ部４１と、その両端がプラグ部４１と駆動モジュール７１とにそれぞれ電気的に接続されている電源コード７２とからなっているが、電源コード７２を介せず、直接に駆動モジュール７１に外へ延出するように接続されているプラグ部４１だけからなっていても良い。
【００１５】
そして、本実施形態における制御電路７内には、また、前記指令信号を伝動モジュール７３の駆動モジュール７１を作動させるように処理することができる信号に解読してから伝動モジュール７３に送入するように、第一のモジュラジャック５１と伝動モジュール７３との間に設置されているデコーダー７２と、電源入力手段４に接続されており、且つ電源入力手段４からの交流電力を直流電力へ転換してから駆動モジュール７１、デコーダー７２及び伝動モジュール７３にそれぞれ供給するように構成されているコンバータ７４とがある（図２参照）。
【００１６】
また、本実施形態における制御電路７内には、導入電流が過大である場合、自動的に作動して電流の導入を遮断することができるように、電源入力手段４と駆動モジュール７１との間に自動遮断手段７７が設置されていると共に、ハウジング３表面上に、通／断指示灯７５が自動遮断手段７７と接続している上、自動遮断手段７７の通／断状態を表示すことができるように配置されている（図１及び図３参照）。そして、通／断指示灯７５の隣のハウジング３上に、作動指示灯７６が駆動モジュール７１と接続している上、駆動モジュール７１が作動しているか否かを表示することができるように配置されている（図１及び図３参照）。例えば、自動遮断手段７７については、過大な電流が流れ込む時、それ自体が溶けて回路を遮断することができるヒューズを、通／断指示灯７５については、発光ダイオード、特に緑色発光ダイオードを、作動指示灯７６については、発光ダイオード、特に赤色発光ダイオードを例として挙げることができる。
【００１７】
一方、本実施形態においては、他のテレホンコード（図示せず）と接続するために、ハウジング３の表面に露出し、且つハウジング３内において伝動モジュール７３と接続するように、第二のモジュラジャック５２が第一のモジュラジャック５１と並列するように設置されている（図２参照）。この二のモジュラジャック５１，５２は、テレホンコードで遠端の電話２１からの指令信号を受けて駆動モジュール７１を作動させたり、または他のテレホンコードでバイパスして通常の送信を近端の電話２２に送ったりすることができるばかりでなく、他のテレホンコードで近端の電話２２からの指令信号を受けて駆動モジュール７１を作動させることもできるように設置されている。
【００１８】
また、例えば電話が親機もあり子機もある場合、モジュラジャックは三つ以上に設置されても良い。
【００１９】
以下、図４ないし図６を参照して本実施形態の電話による遠隔作動装置の作動関係を詳しく説明する。
【００２０】
まず、遠端の電話２１からの着信時に、電話に出られずにテレホンコードを介して所定の時間以上の電話着信信号を連続的に受けた伝動モジュール７３は、遠端の電話２１とコミュニケーションリンクを建てパスワードの入力を待つ（ステップＳ４１、Ｓ４３、Ｓ４４）。ただし、電話着信信号が所定の時間を経過せずに絶ちまたは電話に出られれば（Ｓ４３でＮＯ）、ステップＳ４１に戻る。一方、遠端の電話２１から着信していない場合に、近端の電話２２の受話器を取って指令信号を直接に入力することが可能であり（Ｓ４２でＹＥＳ）、その時、デコーダー７２は該指令信号を受けて伝動モジュール７３の駆動モジュール７１を作動させるように処理することができる信号に解読してから伝動モジュール７３に送入し、それにより、伝動モジュール７３に接続されている駆動モジュール７１を作動させる（ステップＳ５２、Ｓ５３，Ｓ５４）。また、その時、電話が切られれば制御過程はステップＳ４１に戻って待機する（Ｓ５５でＹＥＳ）。
【００２１】
続いて、遠端の電話２１とコミュニケーションリンクを建てた後、該コミュニケーションリンクによりテレホンコードを介してパスワード信号を受信してから設定した暗証番号と比較し認証を行う（ステプＳ４５、Ｓ４６）。認証が失敗したら、ステップＳ４５に戻りユーザーに知らせ、且つ正確なパスワードをもう一回入力することを要求する（Ｓ４７でＮＯ）。逆に、認証がＯＫであれば、デコーダー７２はテレホンコードを介して指令信号を受けて伝動モジュール７３の駆動モジュール７１を作動させるように処理することができる信号に解読してから伝動モジュール７３に送入し、それにより、伝動モジュール７３に接続されている駆動モジュール７１を作動させる（ステップＳ４８、Ｓ４９，Ｓ５０）。また、遠端の電話２１が切られると前記コミュニケーションリンクもそれに従って終止し、制御過程がステップＳ４１に戻る（Ｓ５１でＹＥＳ）。
【００２２】
また、コミュニケーションリンクを建てるための所定の時間の設定または変更は、以下、図７ないし図９を参照して詳しく説明する。
【００２３】
まず、遠端の電話２１からの着信時に、電話に出られずにテレホンコードを介して所定の時間（予ねて設定した時間）以上の電話着信信号を連続的に受けた伝動モジュール７３は、遠端の電話２１とコミュニケーションリンクを建てパスワードの入力を待つ（ステップＳ６１、Ｓ６３、Ｓ６４）。ただし、電話着信信号が所定の時間を経過せずに絶ちまたは電話に出られれば（Ｓ６３でＮＯ）、制御過程がステップＳ６１に戻る。一方、遠端の電話２１が着信していない場合、近端の電話２２の受話器を取って指令信号を直接に入力することが可能であり（Ｓ６２でＹＥＳ）、その時、デコーダー７２は該指令信号を受けて伝動モジュール７３の所定の時間を変更させるように処理することができる信号に解読してから伝動モジュール７３に送入し、それにより、コミュニケーションリンクを建てるための前記所定の時間を変更する（ステップＳ７２、Ｓ７３，Ｓ７４）ことができる。また、電話が切られると、制御過程がステップＳ６１に戻る（Ｓ７５でＹＥＳ）。
【００２４】
続いて、遠端の電話２１とコミュニケーションリンクを建た後、該コミュニケーションリンクによりテレホンコードを介してパスワード信号を受信してから設定した暗証番号と比較し認証を行う（ステプＳ６５、Ｓ６６）。認証が失敗したら、ステップＳ６５に戻りユーザーに知らせ、且つ正確なパスワードをもう一回入力することを要求する（Ｓ６７でＮＯ）。逆に、認証がＯＫであれば、デコーダー７２はテレホンコードを介して指令信号を受けて伝動モジュール７３の所定の時間を変更させるように処理することができる信号に解読してから伝動モジュール７３に送入し、それにより、コミュニケーションリンクを建てるための所定の時間を変更する（ステップＳ６８、Ｓ６９，Ｓ７０）ことができる。また、遠端の電話２１が切られると前記コミュニケーションリンクもそれに従って終止し、制御過程がステップＳ６１に戻って待機する（Ｓ７１でＹＥＳ）。
【産業上の利用可能性】
【００２５】
上記のように構成されている本考案の電話による遠隔作動装置は、テレホンコードを介して指令信号を受けることにより遠端または近端の電話でそれに接続されている各電気機器を簡易に制御することかできるだけでなく、また、安価なコスト及び優れた機動性等の特質を持つため、価格競争に左右されるマーケットに競争優位が確立される効果を奏することができる。
【図面の簡単な説明】
【００２６】
【図１】本考案の電話による遠隔作動装置の実施形態を示す斜視図
【図２】本考案の実施形態を示す概略的ブロック図
【図３】本考案の実施形態を示す概略的電路図
【図４】本実施形態の電話による遠隔作動装置の処理手順を示す制御フローチャート
【図５】本実施形態の電話による遠隔作動装置の処理手順を示す制御フローチャート
【図６】本実施形態の電話による遠隔作動装置の処理手順を示す制御フローチャート
【図７】本実施形態の電話による遠隔作動装置において、コミュニケーションリンクを建てるための所定の時間の設定を示す制御フローチャート
【図８】本実施形態の電話による遠隔作動装置において、コミュニケーションリンクを建てるための所定の時間の設定を示す制御フローチャート
【図９】本実施形態の電話による遠隔作動装置において、コミュニケーションリンクを建てるための所定の時間の設定を示す制御フローチャート
【符号の説明】
【００２７】
２１    遠端の電話
２２    近端の電話
２３    電気機器
３      ハウジング
４      電源入力手段
４１    プラグ部
４２    電源コード
５１    第一のモジュラジャック
５２    第二のモジュラジャック
６      ソケット
７      制御電路
７１    駆動モジュール
７１１  リレー
７２    デコーダー
７３    伝動モジュール
７４    コンバータ
７５    通／断指示灯
７６    作動指示灯
７７    自動遮断手段
【図１】
0003117347.tif 000003
【図２】
0003117347.tif 000004
【図３】
0003117347.tif 000005
【図４】
0003117347.tif 000006
【図５】
0003117347.tif 000007
【図６】
0003117347.tif 000008
【図７】
0003117347.tif 000009
【図８】
0003117347.tif 000010
【図９】
0003117347.tif 000011